(57)【特許請求の範囲】
【請求項１】
横架材、垂直材あるいは階段部材等の足場構成要素を組み合わせて構築される建築足場において、隣接して配置されかつコーナー位置に垂直材が配設されないように第１及び第２の横架材が交差するコーナー領域を上方から塞ぐように配置されるとともに、コーナー位置から離間した位置で前記第１の横架材と交差する係合用垂直材に面して配置されるコーナー封塞部材であって、
前記第１及び第２の横架材の長手方向に沿ってそれぞれ配置される第１及び第２の辺を有し、前記第１及び第２の横架材上にそれぞれ前記第１及び第２の辺寄りの領域によって、あるいは同第１及び第２の辺からそれぞれ外方に延出される突起部を有する場合には同突起部によって、あるいは前記第１及び第２の辺寄りのいずれかの領域といずれかの前記突起部によって支持されて載置される本体プレートと、
前記本体プレートの前記第１の辺側に形成され前記係合用垂直材を挟むように配置される部分を有する係合部材とを備え、
前記係合部材は、前記係合用垂直材及び第１の横架材の巾長よりも大きな隙間間隔で配置され前記係合用垂直材を挟む位置に配置される一対の干渉部材と、少なくとも一方の前記干渉部材に形成され前記第１の辺の長手方向と交差する方向であって前記本体プレートが前記第１及び第２の横架材上に載置された状態で前記第１の横架材よりも下方位置に配置され前記第１の横架材に対して側面視方向では干渉せず平面視方向で干渉する突出係合部とを有することを特徴とするコーナー封塞部材。
【請求項２】
前記干渉部材は前記本体プレートの面方向に対して交差する方向に延出され、前記突出係合部は前記干渉部材の前記本体プレートの表裏面それぞれの側に形成されていることを特徴とする請求項１に記載のコーナー封塞部材。
【請求項３】
一対の前記干渉部材はそれぞれ前記突出係合部を有することを特徴とする請求項１又は２に記載のコーナー封塞部材。
【請求項４】
前記本体プレートの前記第１の辺から外方に延出される突起部は前記係合部材の一部であることを特徴とする請求項１〜３のいずれかに記載のコーナー封塞部材。
【請求項５】
前記本体プレートの前記第１の辺から外方に延出される突起部には前記第１の横架材に係合可能な第２の係合部材が形成されていることを特徴とする請求項１〜４のいずれかに記載のコーナー封塞部材。
【請求項６】
前記本体プレートの厚みの中央を通る仮想平面を境界面として表裏形状が鏡像対象となっていることを特徴とする請求項１〜５のいずれかに記載のコーナー封塞部材。
【請求項７】
前記干渉部材は長尺の鋼材を屈曲形成させて形成したことを特徴とする請求項１〜６のいずれかに記載のコーナー封塞部材。
【発明の詳細な説明】
【技術分野】
【０００１】
本発明は、建築足場において横架材が交差するコーナー領域を上方から塞ぐように配置されるコーナー封塞部材に関するものである。
【背景技術】
【０００２】
一般に建築現場等に仮設される建築足場は、所定の間隔で立設された垂直材（支柱、建枠等）と、横架材（布材、ブラケット等）とを縦横に組み合わせ、横架材に踏み板を架設することで基本的骨格が構築されている。また、建築足場は垂直方向に複数の階層を有するため上下の階層に移動する必要から部分的に踏み板を設けずに、階段部材を配置する上下通行用の開口部を設けるようにしている。このような階段部材を配置した先行技術として例えば特許文献１及び２を挙げる。
例えば、特許文献２の図１０に示すように、開口部では完全に踏み板を取り去るのではなく、階段部材の昇降に支障のない範囲で三角形状のコーナー封塞部材（隙間塞ぎ材４４）を配置することが行われている。このような位置にコーナー封塞部材を配置することで開口部周辺の歩きやすさが向上することとなるからである。
【先行技術文献】
【特許文献】
【０００３】
【特許文献１】特開２００９−２２８３３４号公報
【特許文献２】特開２００２−３０８０５号公報
【発明の概要】
【発明が解決しようとする課題】
【０００４】
ところで、コーナー封塞部材をコーナー領域に固定するための構造として例えば特許文献１ではその図１４に示すようにクランプからなる取付金具５１を用いて横架材としての桁材３３に固定するようにしている。また、特許文献１ではその図６に示すように横架材８に対してＣ形掛け金２４を係合させ、止め金２５でロックするようにしている。つまり、いずれもコーナー封塞部材の固定手段として可動部を有するものである。
しかし、建築足場で用いられる足場構成要素はなるべくこのような可動部のない簡素な形状であることが望ましい。足場構成要素はそれほど丁寧に扱われるものではないので、できるだけ頑丈で損傷しにくいことが求められるからである。また、特許文献１のようなクランプ構造によるものでは建築足場の設置作業や解体作業に時間を要することとなり作業性が悪い。また、特許文献２ではＣ形掛け金２４を使用する場合ではコーナー封塞部材（三角布板１６）の横ずれを防止するために階段状に屈曲させた係合金物１９を三角布板本体１７に設けるようにしているが、係合金物１９は隣接する布板２によって上方から押さえ込むような構成であるため、コーナー封塞部材（三角布板１６）の取り付ける際に一旦隣接する布板２を持ち上げてその下側位置に係合金物１９を配置させなければならず、やはり作業性が悪い。
このようなことから、従来からより簡単な構造で作業効率のよいコーナー封塞部材が求められていた。
本発明は、上記課題を解決するためのものである。その目的は、簡単な構造で作業効率のよいコーナー封塞部材を提供することにある。
【課題を解決するための手段】
【０００５】
上記課題を解決するために、請求項１の発明では、横架材、垂直材あるいは階段部材等の足場構成要素を組み合わせて構築される建築足場において、隣接して配置されかつコーナー位置に垂直材が配設されないように第１及び第２の横架材が交差するコーナー領域を上方から塞ぐように配置されるとともに、コーナー位置から離間した位置で前記第１の横架材と交差する係合用垂直材に面して配置されるコーナー封塞部材であって、前記第１及び第２の横架材の長手方向に沿ってそれぞれ配置される第１及び第２の辺を有し、前記第１及び第２の横架材上にそれぞれ前記第１及び第２の辺寄りの領域によって、あるいは同第１及び第２の辺からそれぞれ外方に延出される突起部を有する場合には同突起部によって、あるいは前記第１及び第２の辺寄りのいずれかの領域といずれかの前記突起部によって支持されて載置される本体プレートと、前記本体プレートの前記第１の辺側に形成され前記係合用垂直材を挟むように配置される部分を有する係合部材とを備え、前記係合部材は、前記係合用垂直材及び第１の横架材の巾長よりも大きな隙間間隔で配置され前記係合用垂直材を挟む位置に配置される一対の干渉部材と、少なくとも一方の前記干渉部材に形成され前記第１の辺の長手方向と交差する方向であって前記本体プレートが前記第１及び第２の横架材上に載置された状態で前記第１の横架材よりも下方位置に配置され前記第１の横架材に対して側面視方向では干渉せず平面視方向で干渉する突出係合部とを有することをその要旨とする。
【０００６】
このような構成においてコーナー封塞部材をコーナー領域に配置する際には、まず第１の横架材の上方において係合部材の一対の干渉部材によって係合用垂直材を挟むように本体プレートを配置する。そして本体プレートを下降させていく。このとき、本体プレートは本体プレートを下降させても各干渉部材が第１の横架材に干渉しないような位相位置関係とする必要がある。つまり、両干渉部材の隙間が第１の横架材の巾長方向に配置されるようにし、本体プレートを下降させた場合に干渉部材が第１の横架材の外側をすり抜けて下方に進出できるような向きとする必要がある。本体プレートをそのような配置として下降させていくと一対の干渉部材は第１の横架材の外側（両側）にこれを挟むように配置される。そして、突出係合部が第１の横架材よりも下方位置に配置された状態で本体プレートを水平方向に回動させて、本体プレートの第１及び第２の辺寄りの領域（あるいは第１及び第２の辺からそれぞれ外方に延出される突起部）を第１及び第２の横架材上にそれぞれ支持させる。これによって本体プレートが第１及び第２の横架材上に載置されることとなり、同時に突出係合部は本体プレートの回動に伴って第１の横架材と交差する下方位置（つまり平面視方向で干渉する）に配置されることとなる。これによって、コーナー封塞部材はコーナー領域を封塞することができるとともに、係合部材の干渉部材と突出係合部の作用によって係合用垂直材と第１の横架材に係合するためコーナー封塞部材は左右方向（第１の横架材の長手方向）への移動及び上方向への移動が規制されることとなる。
このような構成のコーナー封塞部材であれば、単に所定の方向から所定の手順でセットするだけで、コーナー領域に固定できることとなり、従来に比べて固定構造に可動部がなくなることから、壊れにくく作業効率のよいコーナー封塞部材を提供することが可能となる。
【０００７】
また、請求項２の発明では請求項１に記載の発明の構成に加え、前記干渉部材は前記本体プレートの面方向に対して交差する方向に延出され、前記突出係合部は前記干渉部材の前記本体プレートの表裏面それぞれの側に形成されていることをその要旨とする。
このような構成では、突出係合部は本体プレートの表裏面それぞれの側に形成されているため、コーナー封塞部材を反転させて使用する場合であっても上方向への移動を規制することができる。
また、請求項３の発明では請求項１又は２に記載の発明の構成に加え、一対の前記干渉部材はそれぞれ前記突出係合部を有することをその要旨とする。
このような構成では、コーナー封塞部材は単に上方向への移動が規制されるだけではなく、係合部材を中心とした上方向への回転動作（第２の辺側の持ち上がり）も防止されることとなる。
また、請求項４の発明では請求項１〜３のいずれかに記載の発明の構成に加え、前記本体プレートの前記第１の辺から外方に延出される突起部は前記係合部材の一部であることをその要旨とする。
つまり、本体プレートを支持する突起部が同時に係合部材の一部をなしている場合である。これによって、突起部を別途形成しなくとも係合部材でそれを兼ねることもでき、干渉部材を突起部と一体的に構成することで突起部を干渉部材の保持部材とすることも可能となる。
【０００８】
また、請求項５の発明では請求項１〜４のいずれかに記載の発明の構成に加え、前記本体プレートの前記第１の辺から外方に延出される突起部には前記第１の横架材に係合可能な第２の係合部材が形成されていることをその要旨とする。
これによって、係合部材の固定だけでなく第２の係合部材を第１の横架材に係合させることができるため、コーナー封塞部材をより確実にコーナー領域に固定することが可能となる。
また、請求項６の発明では請求項１〜５のいずれかに記載の発明の構成に加え、前記本体プレートの厚みの中央を通る仮想平面を境界面として表裏形状が鏡像対象となっていることをその要旨とする。
これによって鏡像関係にあるコーナー領域に同じコーナー封塞部材を天地反転させて使用することが可能となる。
また、請求項７の発明では請求項１〜６のいずれかに記載の発明の構成に加え、前記干渉部材は長尺の鋼材を屈曲形成させて形成したことをその要旨とする。
干渉部材を長尺の鋼材（断面円形であることが好ましい）で構成すると、干渉部材を細い素材で構成することができ、一対の干渉部材間の間隔をあまり広くしなくとも本体プレートを水平方向に回動させる際に干渉部材が係合用垂直材や第１の横架材に干渉することがなく、係合部材をよりコンパクトに構成することができる。
【発明の効果】
【０００９】
上記各請求項の発明のように構成すれば、係合部材には可動部がなく壊れにくく、また可動部がないため作業効率のよいコーナー封塞部材を提供することが可能となる。
【図面の簡単な説明】
【００１０】
【図１】（ａ）は本発明の実施の形態１のコーナーステップの平面図、（ｂ）は同じく側面図、（ｃ）は正面図。
【図２】実施の形態１のコーナーステップの斜視図。
【図３】実施の形態１のコーナーステップをコーナー領域に設置した状態の斜視図。
【図４】（ａ）〜（ｃ）は実施の形態１のコーナーステップをコーナー領域に設置する手順を説明する説明図。
【図５】（ａ）〜（ｄ）は実施の形態１のコーナーステップをコーナー領域に設置する手順を説明する説明図。
【図６】（ａ）及び（ｂ）は実施の形態１のコーナーステップをコーナー領域に設置する直前と設置後の位置関係の違いを説明する説明図。
【図７】（ａ）及び（ｂ）は実施の形態１のコーナーステップをコーナー領域に設
【図８】実施の形態１のコーナーステップを設置した状態の建築足場開口部付近の斜視図。
【図９】実施の形態２のコーナーステップの斜視図。
【図１０】実施の形態２のコーナーステップの突起片周辺を拡大して示す部分拡大断面図。
【図１１】突起片と蓋と遊動レバーの配置関係を説明する分解斜視図。
【発明を実施するための形態】
【００１１】
（実施の形態１）
以下、本発明のコーナー封塞部材を具体化した実施の形態１について図面に基づいて説明する。
図１〜図３に示すように、コーナー封塞部材としてのコーナーステップ１１は薄手鋼板（本実施の形態１では２．３ｍｍ）からなる本体プレート１２を備えている。本体プレート１２は異形台形の平面形状とされている。本体プレート１２は互いに直交関係にある第１及び第２の辺１３，１４とこれら第１及び第２の辺１３，１４に対して斜辺の関係にある第３の辺１５を備えている。第１の辺１３と第３の辺１５と交差し、第２の辺１４と平行な辺を第４の辺１６とする。各辺１３〜１６は直線の縁形状とされている。第１の辺１３に沿って本体プレート１２の面方向と直交するように鋼板からなる第１の補強プレート１７が溶着されている。第１の補強プレート１７はその正面形状として図１（ｃ）に示すように四方の角部が面取りされた略長方形形状の板体とされている。第２の辺１４に沿って本体プレート１２の面方向と直交するように鋼板からなる第２の補強プレート１８が溶着されている。第２の補強プレート１８は基端側が第１の補強プレート１７の基端寄り裏面に当接させられており、開放端側の角部が面取された略長方形形状とされている。第１の補強プレート１７に対して第２の補強プレート１８は若干細幅に形成されている。第４の辺１６には第１及び第２の補強プレート１７，１８間に両端が当接する鋼板からなる第３の補強プレート１９が溶着されている。第３の補強プレート１９は第２の補強プレー１８と同幅に形成されている。
第２の辺１４の縁寄りで、かつ第２の辺１４の両端寄り位置にはそれぞれ第１の辺１３と平行となるような配置位置で一対の結束用小孔２０が形成されている。それぞれの一対の小孔２０の間隔は結束されるべき横架材の直径に対応し、その直径より若干広めとされている。本体プレート１２に第１〜第３の補強プレート１７〜１９が固着された状態での平面形状は全体として略三角形形状をなす。
【００１２】
第１の補強プレート１７には係合部材としての係合フック２１が溶着されている。係合フック２１は干渉部材としての第１のフック片２２Ａと第２のフック片２２Ｂから構成されている。第１及び第２のフック片２２Ａ，２２Ｂは断面円形の長尺の鋼材を屈曲して同形状に形成された部材であって、直線状の棒状部２３とその棒状部２３の上下端部にそれぞれ棒状部２３の長手方向に対して直角な同方向に屈曲形成させられた第１及び第２の屈曲部２４ａ，２４ｂとから構成され全体としてコの字状の外観とされている。
第１のフック片２２Ａは第１の補強プレート１７の最も基端寄りであって、図１（ａ）に示すようにちょうど第２の補強プレート１８の基部に隣接した位置に固着されている。第２のフック片２２Ｂは第１のフック片２２Ａの固着位置よりも第１の補強プレート１７の先端方向にずれた位置に固着されている。図１（ｃ）及び図６（ａ）に示すように、第１及び第２のフック片２２Ａ，２２Ｂの間隔Ｓ１は後述する横架材（開口部用布材３２Ａ）の直径よりも若干広く（本実施の形態１では３７ｍｍ）構成されている。つまり間隔Ｓ１は横架材（及び係合用垂直材である手すり枠用パイプ３８）の通過可能な幅となる。
【００１３】
図１（ａ）〜（ｃ）、図２等に示すように、第１のフック片２２Ａは第１の補強プレート１７の裏面側に棒状部２３位置において溶着によって固定されており、固定状態で棒状部２３は第１の補強プレート１７の長手方向に対して直交する方向（上下方向）に延出されている。また、固定状態で第１及び第２の屈曲部２４ａ，２４ｂの先端側は第１の補強プレート１７と交差して第１の補強プレート１７の表面側に突出されている。第１及び第２の屈曲部２４ａ，２４ｂは第１の補強プレート１７の長手方向に対して直交する方向に延出されている。
第２のフック片２２Ｂは第１の補強プレート１７の表面側に突起部としての棒状突起２５を介して固定されている。棒状突起２５は第２のフック片２２Ｂは補強プレート１７の表面から外方に向かって補強プレート１７の表面に対して垂直となるように溶着によって固定されており、第２のフック片２２Ｂはこの棒状突起２５の先端に棒状部２３位置において溶着によって固定されている。固定状態で棒状部２３は補強プレート１７の表面に対して平行で、かつ第１の補強プレート１７の長手方向に対して直交する方向に延出されている。また、第１及び第２の屈曲部２４ａ，２４ｂの先端側は第１の補強プレート１７方向に向かって突出されている。第１及び第２の屈曲部２４ａ，２４ｂは第１の補強プレート１７の長手方向に対して直交する方向に延出されている。棒状突起２５と第１及び第２の屈曲部２４ａ，２４ｂとの間隔Ｓ２は後述する横架材の直径よりも若干広く（本実施の形態１では４８．５ｍｍ）構成されている。このような構成の第１び第２のフック片２２Ａ，２２Ｂは第１の補強プレート１７を挟んで第１及び第２の屈曲部２４ａ，２４ｂの向きが互いに逆方向を向くような配置とされている。また、図１（ｂ）の側面視方向において隣接関係にある第１及び第２の屈曲部２４ａ，２４ｂはその先端寄りで重複状に配置されることとなる。
第１の補強プレート１７には突起部としての鋼板からなる小突起片２６が溶着されている。小突起片２６は第１の補強プレート１７表面に係合フック２１の配置位置とは真逆となるように先端寄り位置に固着されている。図１（ｃ）に示すように、小突起片２６は側面視において本体プレート１２と一致する位置に外方に向かって延出形成されている。
上記のようなコーナーステップ１１の構成において、図１（ｂ）及び（ｃ）に示すように、本体プレート１２の厚みの中央を通る仮想平面Ｐを境界面として表裏形状が鏡像対象となっている。
【００１４】
次に、このような構成のコーナーステップ１１を階段部材を有する建築足場の上下通行用の開口部のコーナー領域に設置する作業について説明する。まず、簡単に建築足場の開口部付近の構成について説明する。
図８は建築足場３０の開口部３１付近の図である。建築足場３０は横架材としての布材３２と垂直材としての支柱３３を組み合わせ、布材３２間に踏み板３４を架設して基本的骨格が構築されている。建築足場３０の一部には布材３２を配置せず開口部３１が設けられており、開口部３１位置に階段部材３５が架設され上下階を行き来することが可能となっている。尚、図８では図の重なりによって要部が見にくくなるのを防止するために、実施の形態１に関連する要部以外の支柱３３や手すり等の足場構成要素は一部省略して図示している。
開口部の通路側の開口部用布材３２Ａには手すり枠３７が設けられている。開口部用布材３２Ａには手すり枠３７を設置するための係合用垂直材としての手すり枠用パイプ３８が形成されている。本実施の形態１では第１の横架材としての開口部用布材３２Ａと共にコーナー領域Ｃを構成する横架材を布材３２Ｂ（第２の横架材）とする。図３及び図６に示すように、ここでは開口部用布材３２Ａと布材３２Ｂとよって構成される踏み板３４に隣接したコーナー領域Ｃにコーナーステップ１１を設置する場合について説明する。
【００１５】
本実施の形態１では次のような順序でコーナーステップ１１をコーナー領域Ｃに設置していく。
イ）図４（ａ）及び図５（ａ）に示すように、手すり枠用パイプ３８に対して係合フック２１を係合させ、手すり枠用パイプ３８に沿ってコーナーステップ１１を下降させる。図４（ａ）では手すり枠３７がない状態であるため、上方から下降させるように図示しているが、すでに手すり枠３７が手すり枠用パイプ３８に挿嵌されている場合には手すり枠３７に干渉しないような側方位置から水平に移動させて手すり枠用パイプ３８に対して係合フック２１を係合させればよい。
コーナーステップ１１を下降する前、あるいは下降させながら係合フック２１、つまり第１及び第２のフック片２２Ａ，２２Ｂが開口部用布材３２Ａに衝突（干渉）しないように向きを変える。つまり、図６（ａ）のように両フック片２２Ａ，２２Ｂの間隔Ｓ１が開口部用布材３２Ａの径方向と一致するように配置する。下降に伴い図５（ｂ）のように両フック片２２Ａ，２２Ｂは開口部用布材３２Ａの両側を通過していくこととなる。
ロ）コーナーステップ１１を図５（ｃ）及び図７（ａ）の位置まで下降させ両フック片２２Ａ，２２Ｂの第２の屈曲部２４ｂが開口部用布材３２Ａを通過することででコーナーステップ１１を回動させる用意をする。図５（ｃ）の状態では回動させるとＣ形係合フック３９と干渉してしまうため、図５（ｄ）のように若干第２の辺１４側を上方に持ち上げて干渉を回避させた状態で図４（ｂ）の矢印のように係合フック２１を基部としてコーナーステップ１１を開口部用布材３２Ａを乗り越えるように９０度回動させていく。これによって、両フック片２２Ａ，２２Ｂの第１及び第２の屈曲部２４ａ，２４ｂが開口部用布材３２Ａと交差する位置、すなわち、図６（ｂ）のように平面視において干渉する位置に交差状に配置されることとなる。
ハ）最後に、図４（ｃ）及び図７（ｂ）のようにコーナーステップ１１を若干下降させて開口部用布材３２Ａ上面に小突起片２６と第２のフック片２２Ｂの棒状突起２５を当接させ、布材３２Ｂ上面に第２の辺１４寄りの領域を当接させる。これによってコーナーステップ１１が小突起片２６、棒状突起２５及び第２の辺１４寄りの領域によって支持されコーナー領域Ｃを塞ぐように設置されることとなる。その後、必要に応じて結束用小孔２０を利用して第２の辺１４寄り領域の持ち上がりを防止するためにワイヤ等で結束する。
ニ）取り外しの際には上記と逆の工程で取り外すようにする。また、図８とは鏡像関係にあるようなコーナー領域Ｃにコーナーステップ１１を設置する場合にはコーナーステップ１１は表裏形状が鏡像対象となっているのだから、表裏反転させて上記と鏡像となるような手順で設置することができる。
【００１６】
上記のように構成することにより本実施の形態１の足場用布材１１は以下のような効果を奏する。
（１）建築足場３０の開口部３１の従来から通行の利便のためにコーナー領域Ｃにコーナーステップ１１を設置する場合において、係合フック２１によって手すり枠用パイプ３８と開口部用布材３２Ａに係合させることができ、係合フック２１は従来のような可動部を有さないため、壊れにくく、また可動部がないことから取り付けや取り外しのための作業効率が向上する。
（２）コーナーステップ１１は本体プレート１２の厚みの中央を通る仮想平面Ｐを境界面として表裏形状が鏡像対象となっているため、やはり鏡像関係となるコーナー領域Ｃに同じコーナーステップ１１を表裏反転させることで使用可能であり、階段部材３５の向きに応じて２種類のコーナーステップ１１を用意する必要がなく便利である。
（３）係合フック２１の一方（ここでは第２のフック片２２Ｂ）に突起部となる棒状突起２５を設けるようにしたため、場合によっては小突起片２６がなくともよく、ここでは２つの突起部（小突起片２６と棒状突起２５）によって確実に第１の辺１３側を支持することができるようになっている。
（４）係合フック２１は断面円形の長尺の鋼材を使用しているため、コーナーステップ１１を回動させる際に手すり枠用パイプ３８の周囲で位相の変化があっても棒状部２３と手すり枠用パイプ３８との間隔に変化がなく回しやすく、また係合フック２１をコンパクトに構成することができる。
（５）第２の辺１４側を持ち上げるような力が作用した場合に係合フック２１は手すり枠用パイプ３８を挟んだ両側にフック片２２Ａ，２２Ｂが配置されているためフック片２２Ａ，２２Ｂが手すり枠用パイプ３８や開口部用布材３２Ａと干渉して、持ち上がりにくくなっている。
【００１７】
（実施の形態２）
実施の形態２は実施の形態１における小突起片２６を変更し、結束用小孔２０を設けないようにしたものである。そのため、以下の説明においては実施の形態１と異なる点のみを説明し、上記と重なる内容の説明は省略する。
図９に示すように、鋼板からなる突起片４１が第１の補強プレート１７表面の係合フック２１とは真逆の取り付け位置ととなるように先端寄り位置に固着されている。図９〜図１１に示すように、小突起片４１は側面視において本体プレート１２と一致する位置に外方に向かって延出形成されている。小突起片４１の先端寄りは上下に連通するスリット４２が形成されている。小突起片４１の先端には鋼板からなる蓋４３が溶着されている。スリット４２内には第２の係合部材としての遊動レバー４４が上下方向に移動可能に遊嵌されている。遊動レバー４４は弓上に湾曲して構成されており凹状に湾曲した側が作用面４４ａ側となって第１の補強プレート１７方向に対面している。遊動レバー４４は上下寄り位置にスリット４２からの抜けを防止するための抜け止めピン４５が形成されている。遊動レバー４４は上下を分割する仮想線Ｌにおいて上下対称形状をなしており、コーナーステップ１１を表裏反転させた場合でも遊動レバー４４が同様な作用を実現できるようになっている。
このような構成であれば、上記実施の形態１と同様の操作でコーナーステップ１１を設置した際に、小突起片４１を開口部用布材３２Ａの上面に当接させ、更にこの遊動レバー４４を開口部用布材３２Ａの外周に係合させることで、コーナーステップ１１において第２の辺１４側が持ち上がりにくくなる。
【００１８】
尚、この発明は前記実施の形態に限定されるものではなく、次のように変更して具体化することも可能である。
・上記各実施の形態において、本体プレート１２の形状は一例であって、例えば薄手鋼板ではなく、網体で構成したり縦横のリブ構造で構成した上下方向に隙間が開いているような形状でも構わない。
・係合フック２１は第１の補強プレート１７に固着するようにしたが、本体プレート１２の形状に応じて固着対象は変更可能である。
・コーナーステップ１１の材質として上記では鋼材を使用したが、特に材質には限定されず、例えば硬質プラスチック等から構成するようにしてもよい。
・上記各実施の形態では一対の干渉部材としてフック片２２Ａ，２２Ｂを別体で構成したが、一体的に構成するようにしてもよい。そのほうが溶着作業が簡略化されるからである。
・上記各実施の形態では第２のフック片２２Ｂに突起部としての棒状突起２５を設けるようにしたが、このように係合フック２１に突起部を設けずに構成することも可能である。また、上記のように突起部（小突起片２６、棒状突起２５）が複数あってもよい。
・布材３２Ｂ上面に第２の辺１４寄りの領域を当接させるようにしたが、第２の辺１４側に突起部を設けるようにしてもよい。逆に第１の辺１３側に突起部を設けず、第１の辺１３寄りの領域を当接させるようにしてもよい。
・上記各実施の形態では表裏形状が鏡像対象となるように構成したが、必ずしもそのような形状でなくともよい。鏡像対象でなくとも鏡像関係にあるコーナー領域Ｃに裏返して使用することが可能に構成することは可能であり、そのように表裏とも使用できなくとも、鏡像関係にある２種類のコーナーステップ１１を用意すれば足るからである。
・実施の形態２において結束用小孔２０を併せて設けるな構成としてもよい。
・係合用垂直材としての手すり枠用パイプ３８以外の垂直材であってもよい。
・上記各実施の形態では溶接のビードが省略されている。また、実際にはこの種の足場用の部材はそれほどの精度が要求されないため、部材形状等に若干の変形や継ぎ目に隙間等が形成されることは許容される。
・その他、本発明の趣旨を逸脱しない範囲で変更した態様で実施することは自由である。
【符号の説明】
【００１９】
１１…コーナー封塞部材としてのコーナーステップ、１２…本体プレート、１３…第１の辺、１４…第２の辺、２１…係合部材としての係合フック、２２Ａ．２２Ｂ…干渉部材としての第１及び第２のフック片、２４ａ，２４ｂ…突出係合部としての第１及び第２の屈曲部、２５…突起部としての棒状突起、２６…突起部としての小突起片、３２Ａ…第１の横架材としての開口部用布材、３２Ｂ…第２横架材としての布材、３８…係合用垂直材としての手すり枠用パイプ、Ｃ…コーナー領域。
【図１】
0005808581.tif 000002
【図２】
0005808581.tif 000003
【図３】
0005808581.tif 000004
【図４】
0005808581.tif 000005
【図５】
0005808581.tif 000006
【図６】
0005808581.tif 000007
【図７】
0005808581.tif 000008
【図８】
0005808581.tif 000009
【図９】
0005808581.tif 000010
【図１０】
0005808581.tif 000011
【図１１】
0005808581.tif 000012